(57)【特許請求の範囲】
【請求項１】
収納箱に収納されているロール状に巻かれたシート状物を当該収納箱から引き出した状態で分断するシート状物分断治具であって、
ロール状に巻かれたシート状物を引き出した状態で分断する刃が付いており、前記シート状物が収納されていた刃付き紙製収納箱を用い、当該刃付き紙製収納箱の一部を前記刃が付いた状態で切り離した刃付き紙片と、
前記刃付き紙片を当該刃の長手方向に沿って補強支持する補強支持体とを備え、
前記補強支持体は、前記収納箱の係止孔に挿入して係止される係止突部を有すると共に、前記刃付き紙片を粘着固定する粘着面を有し、
前記刃付き紙片は、前記刃の基部が貼り付けられ当該刃の長手方向に沿った長辺を有する第１の矩形片と当該第１の矩形片に対して前記長辺に沿って屈折自在に連設される第２の矩形片を有し、前記刃は、前記第１の矩形片の前記長辺から刃先が突出するように前記第１の矩形片に貼り付けられていることを特徴とするシート状物分断治具。
【請求項２】
前記補強支持体は、前記第１の矩形片に粘着固定される第１の補強支持部と前記第２の矩形片に粘着固定される第２の補強支持部とを備え、前記第１の補強支持部は前記収納箱の一面に形成された線状の係止孔に挿入する前記係止突部を有し、前記第２の補強支持部は前記収納箱の前記一面と隣接する他面に形成された線状の係止孔に挿入する前記係止突部を有することを特徴とする請求項１記載のシート状物分断治具。
【請求項３】
前記第１の補強支持部と前記第２の補強支持部とは、前記長辺に沿った屈折線を介して屈折自在に連設されていることを特徴とする請求項２記載のシート状物分断治具。
【請求項４】
前記第１の補強支持部と前記第２の補強支持部は別部材として形成され、前記第１の補強支持部と前記第２の補強支持部がそれぞれ個別に前記第１の矩形片と前記第２の矩形片に貼り付けられていることを特徴とする請求項２記載のシート状物分断治具。
【請求項５】
前記第１の補強支持部と前記第２の補強支持部がそれぞれ有する前記係止突部の一方の係止突部は、前記係止孔に挿入した状態で前記刃の長手方向にスライドさせることで前記係止孔の端部が係合する係合スリットを有し、
前記第１の補強支持部と前記第２の補強支持部がそれぞれ有する前記係止突部の他方の係止突部は、前記係合スリットが係合された状態で前記係止孔に挿入可能になるように前記係合スリットとの相対位置が決められていることを特徴とする請求項２〜４のいずれかに記載のシート状物分断治具。
【請求項６】
請求項１〜５のいずれかに記載されたシート状物分断治具が着脱自在に取り付けられる収納箱であって、
収納対象であるロール状に巻かれたシート状物のロール体の幅が収納可能な長辺と前記ロール体の直径が収納可能な短辺を有する矩形片を有し、
前記矩形片の隣接する２つにそれぞれ前記係止孔が設けられていることを特徴とするシート状物ロール体の収納箱。
【発明の詳細な説明】
【技術分野】
【０００１】
本発明は、シート状物分断治具、このシート状物分断治具が取り付けられるシート状物ロール体の収納箱に関するものである。
【背景技術】
【０００２】
本発明におけるシート状物としては、食品包装用のラップフィルム、アルミホイル、クッキングペーパなどが含まれる。このようなシート状物はロール状に巻かれたロール体として流通しており、その際、このロール体は紙製の収納箱に収められ、この収納箱には収納箱の開放口から引き出されたシート状物を所望の長さで分断する刃が取り付けられている。
【０００３】
このような収納箱は、収納されたシート状物を使い切ってしまうと廃棄物になるが、その際、紙製の収納箱に金属製などの刃が付いていると、これらを分別して廃棄する必要があるため、紙製の収納箱から金属製の刃を取り外すのに手間がかかる問題が生じる。
【０００４】
一方、下記特許文献１には、シート状物のロール体を収納する収納箱は刃が付いていない状態で流通し、この刃が着いていない収納箱に対して、分断用の刃を備えた付属装置を別途用意し、この付属装置を収納箱に着脱自在に装着することなどが記載されている。
【先行技術文献】
【特許文献】
【０００５】
【特許文献１】特開２０１０−４２８４４号公報
【発明の概要】
【発明が解決しようとする課題】
【０００６】
前述した従来技術によると、最初に購入するユーザーは、刃が着いていない収納箱に収納されたシート状物ロール体と刃を備えた付属装置の両方を購入して、付属装置を収納箱に取り付けて使用する。そして、シート状物を使い尽くした後には、刃の着いていない収納箱に収納されたシート状物ロール体のみを購入し、これに既に購入している付属装置を取り付けて使用する。これによると、シート状物使用後に収納箱を廃棄する際には、紙製の収納箱と金属製の刃とを分別して廃棄する煩雑さを無くすことができ、また刃を備えた付属装置の再利用によって資源を有効活用し、環境保全の意識を高めた生産及び商品流通を可能にする利点が得られる。
【０００７】
このような商品形態を広く普及させるためには、先ず、付属装置が広くユーザーの手に行き渡らなければならず、そのためには刃付きの付属装置を相当量生産しなければならい。しかしながら、ユーザーの中にはこのような付属装置の取り付け取り外しの煩雑さを嫌って、旧来型の刃付きの収納箱にシート状物のロール体が収納された商品を好んで購入する人もいるので、メーカーとしては、前述した付属装置の使用が広く普及したことを確認するまでは、刃付きの付属装置と、刃の着いていない収納箱に収納されたシート状物ロール体と、刃付きの収納箱に収納されたシート状物のロール体の３つの商品形態を生産し続けなければならない。
【０００８】
この際、刃付きの付属装置は、刃部を一体成形したとしても比較的コスト高になり、販売当初は、付属装置の使用がユーザーに受け入れられないことのリスクを抱えながら、コストの高い付属装置をある程度の量生産しなければならない問題がある。また、前述したように、旧来型の刃付きの収納箱にシート状物のロール体を収納した商品を好んで購入するユーザーの取り込みも欠かせないことを考えると、刃付きの付属装置と刃付きの収納箱を平行して生産しなければならず、刃の形成又は取り付けが付属装置と収納箱の２つの商品で重なり、生産性においても効率性を欠く問題があった。
【０００９】
本発明は、このような問題に対処することを課題の一例とするものである。すなわち、環境保全の意識を高めた生産及び商品流通を普及させるに際して、導入リスクを低減することができると共に、効率的な生産を可能にすることが本発明の目的である。
【課題を解決するための手段】
【００１０】
このような目的を達成するために、本発明は、以下の構成を少なくとも具備するものである。
【００１１】
収納箱に収納されているロール状に巻かれたシート状物を当該収納箱から引き出した状態で分断するシート状物分断治具であって、ロール状に巻かれたシート状物が収納されていた紙製収納箱であって、該シート状物を引き出した状態で分断する刃が当該紙製収納箱に付いている刃付き紙製収納箱を用い、当該刃付き紙製収納箱の一部を前記刃が付いた状態で切り離した刃付き紙片と、前記刃付き紙片を当該刃の長手方向に沿って補強支持する補強支持体とを備え、前記補強支持体は、前記収納箱の係止孔に挿入して係止される係止突部を有すると共に、前記刃付き紙片を粘着固定する粘着面を有することを特徴とするシート状物分断治具。
【００１２】
このような特徴を有するシート状物分断治具が着脱自在に取り付けられる収納箱であって、収納対象であるロール状に巻かれたシート状物のロール体の幅が収納可能な長辺と前記ロール体の直径が収納可能な短辺を有する矩形片を有し、前記矩形片の隣接する２つにそれぞれ前記係止孔が設けられていることを特徴とするシート状物ロール体の収納箱。
【発明の効果】
【００１３】
このような特徴を有する本発明によると、環境保全の意識を高めた生産及び商品流通を普及させるに際して、導入リスクを低減することができると共に、効率的な生産を可能にすることができる。
【図面の簡単な説明】
【００１４】
【図１】本発明の一実施形態に係るシート状物分断治具を示した説明図である。
【図２】本発明の一実施形態に係るシート状物分断治具の他の例を示した説明図である。
【図３】本発明の一実施形態に係るシート状物分断治具とこれが取り付けられる収納箱を示した説明図である。
【図４】本発明の一実施形態に係るシート状物分断治具とこれが取り付けられる収納箱を示した説明図である。
【図５】本発明の一実施形態における補強支持体の他の例を示した説明図である。
【図６】本発明の一実施形態に係る収納箱にシート状物分断治具を取り付けた状態の断面図である。
【発明を実施するための形態】
【００１５】
以下、図面を参照しながら本発明の実施形態を説明する。図１は本発明の一実施形態に係るシート状物分断治具を示した説明図である。シート状物分断治具１は、刃付き紙片２と補強支持体３とを備えている。
【００１６】
刃付き紙片２は、同図（ａ）に示すように、ロール状に巻かれたシート状物が収納されていた紙製収納箱２０ａであって、シート状物を引き出した状態で分断する刃２０ｂが紙製収納箱２０ａに付いている刃付き紙製収納箱２０を用い、刃付き紙製収納箱２０の一部を刃２０ｂが付いた状態で切り離したものである。
【００１７】
ここでの刃付き紙製収納箱２０は、刃付き紙片２を切り離しやすくした特殊構造を有するものであってもよいし、既存の刃２０ｂが付いた紙製収納箱２０ａであってもよい。刃付き紙片２を切り離しやすくした刃付き紙製収納箱２０の場合は、切り離される刃付き紙片２の周囲にミシン目を形成して、これを簡易に切り離すことができるようにしている。また、既存の刃２０ｂが付いた紙製収納箱を用いる場合は、ハサミなどで紙製収納箱の一部を切り取って、刃付き紙片２を得る。
【００１８】
補強支持体３は、刃付き紙片２を刃２０ｂの長手方向に沿って補強するものであり、プラスチック成形体や金属片などで形成することができる。この補強支持体３は、図１（ｂ），（ｃ）に示すように、後述する収納箱の係止孔に挿入して係止される係止突部３ａ，３ｂを有すると共に、刃付き紙片２を粘着固定する粘着面３ｃを有する。粘着面３ｃは、両面粘着テープの一面側を補強支持体３の一面に貼り付け、両面粘着テープの他面側を剥離紙で被った状態にしておき、刃付き紙片２を貼り付ける際に剥離紙を取り除く。
【００１９】
図１において、同図（ａ）は、刃付き紙片２を刃付き紙製収納箱２０から切り離した状態を示しており、同図（ｂ）は、切り離された刃付き紙片２を補強支持体３に貼り付ける状態を示しており、同図（ｃ）は刃付き紙片２を補強支持体３に貼り付けた状態のシート状物分断治具１を示している。
【００２０】
刃付き紙片２は、刃２０ｂの基部が貼り付けられ刃２０ｂの長手方向に沿った長辺ａを有する第１の矩形片２Ａと第１の矩形片２Ａに対して長辺ａに沿って屈折自在に連設される第２の矩形片２Ｂを有し、刃２０ｂは、第１の矩形片２Ａの長辺ａから刃先が突出するように第１の矩形片２Ａに貼り付けられている。
【００２１】
これに対して、補強支持体３は、刃付き紙片２の第１の矩形片２Ａに粘着固定される第１の補強支持部３０Ａと第２の矩形片２Ｂに粘着固定される第２の補強支持部３０Ｂとを備え、第１の補強支持体３０Ａは後述する収納箱の一面に形成された線状の係止孔に挿入する係止突部３ａ，３ａを有し、第２の補強支持部３０Ｂは後述する収納箱の一面と隣接する他面に形成された線状の係止孔に挿入する係止突部３ｂを有する。
【００２２】
図１の例では、第１の補強支持部３０Ａと第２の補強支持部３０Ｂとは、長辺ａに沿った屈折線３０Ｃを介して屈折自在に連設されている。これに限らず、図２に示すように、第１の補強支持部３０Ａと第２の補強支持部３０Ｂは別部材として形成しても良く、この場合には、第１の補強支持部３０Ａと第２の補強支持部３０Ｂがそれぞれ個別に第１の矩形片２Ａと第２の矩形片２Ｂに貼り付けられる。
【００２３】
図３及び図４は、シート状物分断治具とこれが取り付けられる収納箱を示した説明図である。収納箱１０には、ロール状に巻かれたシート状物（ラップフィルム、アルミホイル、クッキングペーパなど）が収納されている。収納箱１０自体には刃は付いておらず、シート状物分断治具１を係止するための線状の係止孔１０Ａ，１０Ｂが形成されている。係止孔１１Ａにはシート状物分断治具１の係止突部３ａが挿入され、係止孔１１Ｂにはシート状物分断治具１の係止突部３ｂが挿入される。
【００２４】
収納箱１０は、収納対象であるロール状に巻かれたシート状物のロール体の幅が収納可能な長辺Ｌ１とロール体の直径が収納可能な短辺Ｌ２を有する矩形片１０Ａ，１０Ｂ，１０Ｃ，１０Ｄを有し、隣接する２つの矩形片１０Ａ，１０Ｂにそれぞれ前述した係止孔１１Ａ，１１Ｂが設けられている。
【００２５】
補強支持体３における第１の補強支持部３０Ａと第２の補強支持部３０Ｂがそれぞれ有する係止突部３ａ，３ｂの一方の係止突部３ａは、係止孔１１Ａに挿入した状態で刃２０ｂの長手方向にスライドさせることで係止孔１１Ａの端部が係合する係合スリットＳを有し、第１の補強支持部３０Ａと第２の補強支持部３０Ｂがそれぞれ有する係止突部３ａ，３ｂの他方の係止突部３ｂは、係合スリットＳが係合された状態で係止孔１１Ｂに挿入可能になるように係合スリットＳとの相対位置が決められている。
【００２６】
図４は、収納箱１０にシート状物分断治具１を取り付ける際の取り付け方法を示した説明図である。まず、係止孔１１Ａに係止突部３ａを挿入し、挿入した状態で矢印Ｍの方向（刃２０ｂの長手方向）にシート状物分断治具１をスライドさせる。そして、その状態で矢印ｉのようにシート状物分断治具１を倒して、係止突部３ｂを係止孔１１Ｂに挿入する。この際、シート状物分断治具１をスライドさせた状態で係合突起３ｂが係合孔１１Ｂの位置に合致するようになっている。また、係合突起３ｂは中央部を頂点とする山形状に形成されており、この山形状の頂点を係合孔１１Ｂに差し込むことで簡易に係合突起３ｂが係合孔１１Ｂに係合できるようにしている。
【００２７】
図５は、補強支持体３の他の形態例を示した説明図である。この例は、比較的長尺な収納箱１０に適した例であり、第２の補強支持部３０Ｂに設ける係止突部３ｂが２箇所に設けられている。これに対応して収納箱１０には２つの係止突部３ｂ，３ｂに対応するように係止孔１１Ｂが２つ設けられる。係止突起３ｂと係止孔１１Ｂの数は２つに限らず収納箱１０の長さに応じて適宜３つ以上設けることもできる。また、この例のように、複数の係止突起３ｂを設ける場合には、複数の係止突起３ｂを同時に複数の係止孔１１Ｂに挿入することが難しくなるので、その中の一つの係止突起３ｂの高さｈ１を高くして、これを最初に係止孔１１Ｂに挿入させ、その後これより低い高さｈ２を有する係止突起３ｂをそれに対応する係止孔１１Ｂに挿入できるようにしている。
【００２８】
特に、図５に示した例では、補強支持体３の係止突起３ａを収納箱１０の係止孔１１Ａに挿入した後、係合スリットＳの幅だけ補強支持体３をスライドさせた状態で２つの係止突起３ｂをそれに応じた位置に形成されている係止孔１１Ｂに挿入する。その際、スライド方向Ｍの側に形成された係止突起３ｂの高さｈ１を高くし、スライド方向Ｍと逆側の係止突起３ｂの高さｈ２を低くしている。また、各係止突起３ｂはその頂部の位置を中央位置からスライド方向Ｍとは逆側にずらしている。また、係止突起３ｂの幅はスライド方向Ｍ側の係止突起３ｂの幅ｗ１をスライド方向Ｍと逆側の係止突起３ｂの幅ｗ２より狭くしている。このように、係止突起３ｂの形状をスライド方向Ｍに対して異なる形状にすることで、補強支持体３の係止突起３ａを収納箱１０の係止孔１１Ａに挿入して係合スリットＳの幅だけ補強支持体３をスライドさせた状態で２つの係止突起３ｂをそれに応じた位置に形成されている係止孔１１Ｂに挿入する際に、挿入し易さと挿入後の安定性が得られるようにしている。
【００２９】
図６は、収納箱１０にシート状物分断治具１を取り付けた状態の断面図である。収納箱１０は、矩形片１０Ａ，１０Ｂ，１０Ｃ，１０Ｄで囲まれた収納空間Ｐを有しており、矩形片の一つ（矩形片１０Ｃ）が蓋になって、その収納空間Ｐ内にシート状物をロール状に巻いたロール体１２が収納されている。
【００３０】
シート状物分断治具１は、第１の補強支持部３０Ａと第２の補強支持部３０Ｂを略垂直に屈折させた状態で、収納箱１０における矩形片１０Ａと矩形片１０Ｂが形成する角部に刃２０ｂが位置するように取り付けられている。
【００３１】
シート状物１２Ａを収納箱１０から引き出す場合には、蓋となる矩形片１０Ｃを開放した状態で、シート状物１２Ａの端部を矩形片１０Ｂに沿うように引き出し、所望の長さ引き出した後にシート状物１２Ａを刃２０ｂに押しつけて分断する。
【００３２】
以下に、本発明の実施形態に係るシート状物分断治具１の使用形態を説明する。ユーザーは、最初に刃付き紙製収納箱２０入りのロール体を購入し、これを使い切った後は、刃付き紙製収納箱２０から刃付き紙片２を切り離し、これに別途入手した補強支持体３を貼り付けてシート状物分断治具１を得る。その後は、刃無しの収納箱１０入りロール体を購入し、この収納箱１０にシート状物分断治具１を取り付けてシート状物の引き出し及び分断を行う。ユーザーとしては、最初に刃付き紙製収納箱２０から刃付き紙片２を切り離す作業の繁雑さはあるが、刃付き紙製収納箱２０に予めミシン目を入れておけば比較的簡易に刃付き紙片２の切り離しを行うことができる。そして、一度この刃付き紙片２の切り離しを行えば、その後は刃無しの収納箱１０入りの商品を購入して、シート状物分断治具１を繰り返し交換使用できるので、収納箱１０の廃棄時には簡易にシート状分断治具１の係止を外して収納箱１０のみを破棄することができる。また、刃付き紙製収納箱２０から切り離された刃付き紙片２を補強支持体３で補強して使用するので、収納箱１０に対して繰り返し交換使用する場合にも、ある程度の耐久性を維持することができる。
【００３３】
一方、メーカーとしては、刃付き紙製収納箱２０と補強支持体３と刃無しの収納箱１０を並列して生産することになるが、補強支持体３自体には刃が付いていないので、プラスチック成形体などでこれを比較的低コストで生産することができる。そして、刃付き紙製収納箱２０入りの商品と刃無しの収納箱１０入りの商品を並列生産することは従来技術と変わらないが、導入時には、最初にユーザーが購入する刃付き紙製収納箱２０の販売状況を見ながら、補強支持体３と刃無しの収納箱１０入りの商品の生産量を調整することができるので、シート状物分断治具１を使用する形態が受け入れられるがどうか判らない状況で補強支持体３と刃無しの収納箱１０入りの商品を過剰に生産するリスクを避けることができる。また、刃付きの商品は刃付き紙製収納箱２０入りの商品だけで、刃付きの商品を重複生産しないので、生産効率を高めることができる。
【符号の説明】
【００３４】
１：シート状物分断治具
２：刃付き紙片
２Ａ：第１の矩形片
２Ｂ：第２の矩形片
３：補強支持体
３ａ，３ｂ：係止突部
３ｃ：粘着面
３０Ａ：第１の補強支持部
３０Ｂ：第２の補強支持部
３０Ｃ：屈折線
２０：刃付き紙製収納箱
２０ａ：紙製収納箱
２０ｂ：刃
１０：収納箱
１０Ａ，１０Ｂ，１０Ｃ：矩形片
１１（１１Ａ，１１Ｂ）：係止孔
【図１】
0005612901.tif 000002
【図２】
0005612901.tif 000003
【図３】
0005612901.tif 000004
【図４】
0005612901.tif 000005
【図５】
0005612901.tif 000006
【図６】
0005612901.tif 000007